(57)【要約】【課題】  磁気ヘッド部の低摩耗化を実現するとともに、磁気テープの貼り付き及び損傷を防止し、高密度化及び高容量化を実現する。【解決手段】  一対のテープリール１１，１２間に亘って走行する磁気テープ２に対して傾斜した回転軸を中心に回転され、その外周面に沿って磁気テープ２が走行される円筒状の回転ドラム３１と、回転ドラム３１の外周面に形成された凹部３８，３９に設けられ、回転ドラム３１の外周面に沿って走行される磁気テープ２に摺接して磁気テープ２に対して信号の記録又は再生を行う磁気ヘッド部３４，３５と、回転ドラム３１の外周面から突出して形成され、回転ドラム３１の外周面に沿って走行される磁気テープ２と当接する複数の当接部３６，３７とを備え、複数の当接部３６，３７は、回転ドラム３１の周回り方向に等間隔に配置されている。【選択図】  図２
2006172543.tif 000002
【特許請求の範囲】
【請求項１】
一対のテープリール間に亘って走行する磁気テープに対して傾斜した回転軸を中心に回転され、その外周面に沿って上記磁気テープが走行される円筒状の回転ドラムと、
上記回転ドラムの外周面に形成された凹部に設けられ、上記回転ドラムの外周面に沿って走行される磁気テープに摺接して磁気テープに対して信号の記録又は再生を行う磁気ヘッド部と、
上記回転ドラムの外周面から突出して形成され、上記回転ドラムの外周面に沿って走行される磁気テープと当接する複数の当接部とを備え、
上記複数の当接部は、上記回転ドラムの周回り方向に等間隔に配置されていることを特徴とする回転磁気ヘッド装置。
【請求項２】
上記磁気ヘッド部の上記磁気テープに摺接する摺接面は、略矩形に形成され、
上記回転ドラムの外周面に設けられた凹部は、上記矩形に形成された摺接面の各辺と間隙を有して平行な辺からなる略矩形に形成され、
対向する間隙の合計が０．２ｍｍ以上１．０ｍｍ以下であることを特徴とする請求項１記載の回転磁気ヘッド装置。
【請求項３】
上記複数の当接部の上記磁気テープに当接する当接面は、それぞれ、上記磁気テープの幅方向の長さが、５０μｍ以上１５０μｍ以下に形成され、
上記当接面は、上記回転ドラムの回転軸方向に０．５ｍｍ以上５．０ｍｍ以下の第１の曲率半径と、上記回転ドラムの回転方向に１０μｍ以上２０μｍ以下の第２の曲率半径とを有する曲面形状に形成されることを特徴とする請求項１記載の回転磁気ヘッド装置。
【発明の詳細な説明】
【技術分野】
【０００１】
本発明は、可撓性磁気テープのトラックに対する情報の記録、再生、消去等を行う回転磁気ヘッド装置に関し、特に磁気ヘッド部と磁気テープとの接触状態の改善を図る回転磁気ヘッド装置に関する。
【背景技術】
【０００２】
従来より、テープ状磁気記録媒体である磁気テープに対して、信号を記録し、あるいは磁気テープに記録された信号を再生するために、回転磁気ヘッド装置等が使用されている。この回転磁気ヘッド装置は、例えば、ビデオテープレコーダ（ＶＴＲ）に搭載されており、図２１に示すように、一般的に、下部固定ドラムと上部回転ドラムとから構成され、磁気ヘッド部をドラム外周面から突出させた突出型の磁気ヘッド装置１０１である。
【０００３】
図２１に示す回転磁気ヘッド装置１０１は、上部回転ドラム１０３にドラム外周面から突出させた磁気ヘッド部１０５が配設されており、上部回転ドラム１０３が磁気テープ１０２に対して一定の角度で傾斜した状態で回転すると、同時に磁気ヘッド部１０５が磁気テープ１０２と摺接して信号の記録又は磁気テープ上の記録信号の再生を行う、いわゆるヘリカルスキャン方式が採用されている。上部回転ドラム１０３は、磁気テープ１０２を傷つけないように、その円周面の表面粗さを特殊な溝形成部分を除き、最大粗さ高さＲｍａｘで０．５μｍ以下程度に加工仕上げがなされている。また、下部固定ドラム１０２も磁気テープ１０２に傷を付けず、かつ、貼り付きを防止する目的から最大粗さ高さＲｍａｘが０．５〜３．０μｍ程度の範囲で加工仕上げがなされている。
【０００４】
近年、ビデオテープレコーダ等の分野においては、アナログからデジタル方式へと信号方式を変えるだけでなく、小型軽量化、高画質化並びに長時間化を図るため、また、データストレージ分野においては、ネットワーク社会への移行に伴い、発生する莫大なデータのバックアップや保存用として大容量化を図るため、高密度記録が一層強く要求されている。
【０００５】
この要求に対応する磁気記録媒体として、金属あるいはＣｏ−Ｎｉ等の合金からなる磁性材料を鍍金や真空薄膜形成技術（真空蒸着法、スパッタリング法、イオンプレーティング法等）により、直接非磁性支持体上に形成する金属薄膜媒体が挙げられる。
【０００６】
この金属磁性薄膜型の磁気記録媒体は、針状磁性粒子を非磁性バインダーで固定する塗布型媒体に比べて、保持力、角形比及び短波長領域における電磁変換特性に優れているだけでなく、磁性層の薄膜化が可能であるために記録減磁や再生時の厚み損失が著しく小さいことや、磁性層中に非磁性材料である結合剤等を混入する必要がないために、磁性材料の充填密度を高く出来る等、数々の利点を有する。
【０００７】
特に、金属薄膜媒体の場合、塗布型媒体に比べて優位である電磁変換特性を利用して短波長（高周波）記録を行うことで、より小型化、より高密度化が容易に可能になるだけでなく、塗布型媒体よりも磁性層厚が半分程度以下で済み、ベースフィルム厚を含めトータル数μｍ程度と薄くすることが出来るため、大容量化が容易となる。しかしながら、短波長（高周波）記録を行うことは、逆にテープ・ヘッド間のスペーシング損失の影響が従来の波長領域よりもさらに顕著になるという相反する課題を有するため、磁気テープの表面性設計は短波長領域で高出力を目指してさらに平滑化する方向に進んでいる。
【０００８】
一方、磁気記録媒体と摺接する磁気ヘッド部についても、短波長（高周波）記録を実現するために、従来の電磁誘導型ヘッド系では、この実現が非常に難しいことから、再生ヘッドを、磁気抵抗ヘッド系に切り変えることで短波長（高周波）記録を実現することが提案されている。
【０００９】
従来の電磁誘導型ヘッドの場合、高透磁率である磁性材料によって形成された磁気コアに対して、コイルが巻回されることによって構成される。これに対して、磁気抵抗型ヘッドは、磁気抵抗効果を示す磁気抵抗効果素子を非磁性基板上に薄膜プロセス等により形成したもので、磁気コイルが不要であることから小型化が可能であり、また高感度であることから再生出力が高く、高密度記録に優れている。
【００１０】
しかしながら、磁気抵抗型ヘッドの場合には、ヘッドギャップデプスが電磁誘導型ヘッド系の約１／１０〜１／１００倍とサブミクロンオーダーまで小さくなることが知られている。したがって、電磁誘導型ヘッド系では大きな問題とならなかったヘッド自体の摩耗による特性劣化、所謂ヘッド寿命が大きな問題となる。
【００１１】
このことは、スライダーヘッドが浮上してメディアとほとんど接触しないハードディスクシステムではそれほど大きな問題になっていないものの、常時接触摺動がなされる磁気テープシステムへの採用ではシステム成立の根幹に関わる大きな問題として受け止められている。
【００１２】
この改善対策、つまり磁気テープと磁気抵抗型磁気ヘッドをより低摩擦状態でに接触させる手法として、従来の突出型磁気ヘッドの方式から、以下に説明するドラムに形成したヘッド配置窓から磁気ヘッド部をドラム円周面から奥に押し込んだ配置とし、かつ負圧発生原理を利用したスライダー方式にした回転磁気ヘッド装置がある。（特開２００３−２４２６１７号公報）（特許文献１参照）。
【００１３】
この負圧発生原理は、図２２（ａ）に示すように、ハードディスクメディア１１１に対して、一般的に知られている、スライダーヘッド１１２の先端を進行方向の後端部を近接するように配置すると、空気の流れにより、ヘッド１１２を浮上させる正圧Ｐ１が働くことに基づくものである。尚、図２２（ａ）において、ａ１は、空気の流れの方向を示し、ｓ１は、スライダーヘッド１１２の移動方向を示す。
【００１４】
すなわち、これを磁気テープのようなフレキシブルメディアに応用して、図２２（ｂ）に示すように、磁気テープのようなフレキシブルメディア１１３に対してスライダーヘッド１１４の先端を進行方向の前端部を近接するように配置すると、図２２（ｃ）に示すように、狭い空間から広い空間に流れ込んだ空気により負圧Ｐ２が発生してフレキシブルメディア１１３とスライダーヘッド１１４間に吸引力が働き、メディア自体がフレキシブルである、いわゆるスティフネスが小さいことから容易に変形してスライダーヘッド１１４に吸い付けられることになる。このような構成としたスライダー型の磁気ヘッド部は、吸引力のみでフレキシブルメディア１１３である磁気テープとスライダーヘッド１１４とが接触するため、接触圧が従来の突出型の磁気ヘッド部の場合よりも小さく、ヘッドの低摩耗化に有利と考えられる。尚、図２２（ｂ）及び図２２（ｃ）において、ａ２は、空気の流れの方向を示し、ｓ２は、スライダーヘッド１１４の移動方向を示す。
【００１５】
しかしながら、このように、ヘッド構造を従来の突出型から負圧発生原理によりテープに吸引力を生じさせるスライダー型へ変更することにより高密度記録に対処することが可能になった回転磁気ヘッド装置においても、平滑化される磁気テープの走行性に関して以下のような問題点を有する。
【００１６】
上述の突出型の回転磁気ヘッド装置１０１において、図２１に示すように、回転ドラム１０３に磁気ヘッド部１０５を搭載する際には、図２３、図２４及び図２５に示すように、ヘッド配置用の切り欠き溝１０６を設け、この切り欠き溝１０６内部にヘッドチップ１０５ａを載せたヘッドベース１０５ｂをネジ１０７にて保持し、ヘッドベース１０５ｂ先端に位置するヘッドチップ１０５ａを２０〜３０μｍ程度回転ドラム１０３のドラム円周面１０３ａから突き出す構造をとる。図２４及び図２５は、この回転ドラム１０３に搭載された突出型とされた磁気ヘッド部１０５、固定ドラム１０４及びドラムに巻かれて走行する磁気テープ１０２の状態、所謂エアーフィルムと磁気ヘッド部が磁気テープを突出させた形状であるテント形状に関するモデル状態を示す図である。
【００１７】
図２１に示すように、回転ドラム１０３と磁気テープ１０２との間に空気が流れ込んで生じたエアーフィルムにより磁気テープ１０２は定常状態として回転ドラム１０３のドラム円周面１０３ａから数μｍ〜１０数μｍ程度浮上しており、さらに突出された磁気ヘッド部１０５により持ち上げられてテント形状と称される信号の記録再生に良好な接触状態、所謂ヘッド当たりが良好な状態を保てるように磁気ヘッド部１０５の突出量が設定される。この際、エアーフィルムの定常浮上位置から一旦切り欠き溝１０６内部に吸い込まれる磁気テープ１０２をテープの剛性に抗いつつ、エアーフィルムの定常浮上位置よりもさらに突出する構造を取ることから、磁気ヘッド部１０５に大きな接触圧力が生じることが分かる。
【００１８】
一方、負圧発生原理を利用するスライダー型の回転磁気ヘッド装置１２１の場合、図２６に示すように、回転ドラム１２３に磁気ヘッド部１２５を搭載する際には、図２３、図２７及び図２８に示すように、ヘッド配置用の切り欠き溝１２６を設け、この切り欠き溝１２６内部にヘッドチップ１２５ａを載せたヘッドベース１２５ｂをネジ１２７にて保持し、ヘッドベース１２５ｂ先端に位置するヘッドチップ１２５ａを回転ドラム１２３のドラム円周面１２３ａの内側に配置する構造をとる。
【００１９】
この回転磁気ヘッド装置１２１は、エアーフィルムの定常浮上位置から窓奥に吸い込まれた磁気テープ１２２を磁気テープ１２２の剛性に逆らいつつ、さらに負圧発生原理によりスライダー型の磁気ヘッド部１２５に接触させることから突出型の磁気ヘッド部に比べてより低接触面圧を実現することとなり、信号の記録再生に良好な接触状態を実現するだけでなく、磁気ヘッド部１２５の摩耗寿命を長命化することが可能となる。
【００２０】
しかしながら、上述の突出型の回転磁気ヘッド装置１０１及び負圧発生原理を利用した回転型磁気ヘッド装置１２１において、磁気ヘッド部１０５，１２５と磁気テープ１０２，１２２との接触状態に関連して磁気テープ１０２，１２２と回転ドラム１０３，１２３との接触状態については、回転ドラム１０３，１２３に磁気テープ１０２，１２２が巻設されている各領域、所謂磁気テープの巻き始め（所謂ドラム入口）や巻き終わり（所謂ドラム出口）で異なった様相を示す。
【００２１】
例えば、上述の突出型の回転磁気ヘッド装置１０１において、図２９及び図３０に示すように、ドラム入口側ではエアーを多く巻き込む上部回転ドラム１０３に対して、ヘッド配置用の切り欠き溝１０６近傍を除くと磁気テープ１０２の大半は、１０数μｍ浮上した状態にあり、下部固定ドラム１０４と磁気テープ１０２の接触面積は、非常に少ない。これに対して、図３１及び図３２に示すように、ドラム出口側では、ドラム入口側で巻き込まれたエアーが少なくなり、ヘッド配置用の切り欠き溝１０６近傍を除くと磁気テープ１０２は、上部回転ドラム１０３に対して数μｍの浮上量でしかなく、その大半は下部固定ドラム１０２と接触する形態を示す。このことは、ドラムに対するテープ走行、つまりドラムと磁気テープ１０２の摩擦状態が異なることになり、ドラム出口側の方が摩擦抵抗が大きく貼り付き易いことを意味する。
【００２２】
このことは、負圧発生原理を利用するスライダー型の回転磁気ヘッド装置１２１の場合は、図３３、図３４に示すように、ヘッド配置用の切り欠き溝１２６の内部に磁気テープ１２２を一旦吸い込ませて突出型の磁気ヘッド部の場合と逆のテント形状、すなわち逆向きの曲面形状を形成することから、従来の突出型回転磁気ヘッド装置１０１の場合に比べて、その出口側では特に、上述したテープ貼り付きトラブルが発生し易いことになる。
【００２３】
このテープ貼り付きトラブルは、特にエアーフィルムが不安定な状態から安定な状態へと形成される前、例えば、回転ドラムが停止状態から動き出した走行開始直後や通常走行から巻き戻しへとモードが変化するようなモード切換え時の瞬間において、顕著に発生し易くなる。
【００２４】
この貼り付きトラブルを低減する方法として、磁気テープの表面を粗くして固定ドラムとの接触点を減らすか、逆に固定ドラムの表面自体をテープとの接触点を減らすように粗く変える方法が考えられる。しかしながら、磁気テープの表面性を粗くすると本来の目的である短波長化による高密度記録達成の妨げとなるし、固定ドラム表面を粗くする場合には貼り付き自体は低減できるが、逆に磁気テープに引っ掻き傷を付ける等の問題が生じる。
【００２５】
これら以外の対策として、エアーフィルムを供給するだけでなくテープを押し上げて固定ドラムとの接触面積を減らすダミーヘッドを設けることが考えられる。例えば、特開平７−７３４２２号公報では、中ドラム回転装置におけるテープ貼り付き対策に言及し、上部固定ドラムと中部回転ドラムとの隙間でエアーフィルムが吸入されて上部固定ドラムに磁気テープが貼り付き易くなる問題を記録再生ヘッドよりも高く上部固定ドラムに近い位置にダミーヘッドを設けることにより克服している。（特許文献２参照）。
【００２６】
しかしながら、特開平７−７３４２２号公報の内容を負圧発生原理を利用するスライダー型の回転磁気ヘッド装置１２１に応用する場合、ダミーヘッドの取り付け高さ位置は、下部固定ドラム１２４に近づけるため、記録再生を担うスライダー型の磁気ヘッド部１２５と略同じ高さ位置に設置することとなり、エアーフィルムが供給されて貼り付き対策としては効果が見られるも、このままでは、図２３に示すヘッド配置用の切り欠き溝１２６の縁エッジ部１２６ａや角エッジ部１２６ｂで磁気テープ１２２にスクラッチ傷等のダメージを与える等の問題が生じてしまう。（特許文献２参照）。
【００２７】
従って、磁気テープと下部固定ドラムとの貼り付き対策として突出型ダミーヘッドを設ける場合には、磁気テープにヘッド配置窓の縁エッジ部や角エッジ部によるスクラッチ傷対策を考慮してダミーヘッドのテント形状自体を変更する方法を採用しない限りは、有効な改善策となりえない。
【００２８】
これらをまとめると、トラックピッチが数μｍ以下になる高密度記録の新規フォーマットＶＴＲを商品化する際には、磁気ヘッド部には短波長（高周波）に対応して感度の高い磁気抵抗型ヘッドが必要不可欠であり、このヘッドの摩耗寿命を延命する手法としてドラムのヘッド配置窓奥に負圧発生原理を採用したスライダー構造の磁気ヘッド部の配設が必須である。しかしながら、ヘッド配置用凹部へのテープ吸い込みに起因してテープが下部固定ドラムと貼り付き易くなることから、突出型ダミーヘッドを併設することで貼り付き対策が有効となりうるものの、副作用である窓の切り欠きエッジ部、特に縁部分や角部分にて受けるスクラッチ傷等のテープダメージを従来の回転磁気ヘッド装置に比べて低減することが非常に重要になる。すなわち、この問題をクリアすることが金属薄膜媒体の特性を活かした次世代高容量磁気記録フォーマットＶＴＲ商品における製品化の鍵となる。
【００２９】
【特許文献１】特開２００３−２４２６１７号公報
【特許文献２】特開平７−７３４２２号公報
【発明の開示】
【発明が解決しようとする課題】
【００３０】
本発明の目的は、磁気ヘッド部の低摩耗化を実現するとともに、磁気テープの貼り付き及び損傷を防止し、高密度化及び高容量化を実現する回転磁気ヘッド装置を提供することにある。
【課題を解決するための手段】
【００３１】
この目的を達成するため、本発明に係る回転磁気ヘッド装置は、一対のテープリール間に亘って走行する磁気テープに対して傾斜した回転軸を中心に回転され、その外周面に沿って磁気テープが走行される円筒状の回転ドラムと、回転ドラムの外周面に形成された凹部に設けられ、回転ドラムの外周面に沿って走行される磁気テープに摺接して磁気テープに対して信号の記録又は再生を行う磁気ヘッド部と、回転ドラムの外周面から突出して形成され、回転ドラムの外周面に沿って走行される磁気テープと当接する複数の当接部とを備え、複数の当接部は、回転ドラムの周回り方向に等間隔に配置されていることを特徴とする。
【発明の効果】
【００３２】
本発明に係る回転磁気ヘッド装置は、回転ドラムの外周面に形成された凹部内に設けられた磁気ヘッド部と回転ドラムの外周面から突出して形成された当接部とにより、磁気テープと磁気ヘッド部との間に負圧を生じさせ、磁気テープと磁気ヘッド部とを安定して適切な接触圧で接触させて摩耗を低減することを可能とするとともに、当接部を回転ドラムの周回り方向に等間隔に配置することで、磁気テープと固定ドラムとの貼り付き、及び、回転ドラムの凹部の縁部分及び角部分等による磁気テープの損傷を防止することを可能とする。よって、本発明に係る回転磁気ヘッド装置は、磁気ヘッド部の摩耗を低減し、磁気テープの貼り付き及び損傷を防止するとともに、高密度高容量且つ良好な記録再生を実現する。
【発明を実施するための最良の形態】
【００３３】
以下、本発明が適用された回転磁気ヘッド装置を用いた記録再生装置について、図面を参照して説明する。本発明が適用された回転磁気ヘッド装置を用いた記録再生装置は、磁気テープを記録媒体として用いる磁気記録再生装置であり、例えば、ビデオテープレコーダ、オーディオテープレコーダ又はコンピュータ用データストレージシステム等として使用される。そして、この記録再生装置は、磁気テープに対して傾斜した回転軸を中心に回転する回転ドラムを用いて記録再生を行うヘリカルスキャン方式の磁気記録再生装置である。
【００３４】
この記録再生装置１０は、図１に示すように、磁気テープ２を供給する供給リールとなる第１のテープリール１１と、第１のテープリール１１から供給された磁気テープ２を巻き取る巻き取りリールとなる第２のテープリール１２と、第１のテープリール１１と第２のテープリール１２との間に亘って走行する磁気テープ２の走行方向に対して軸心がやや斜めに傾斜して配設され、走行される磁気テープ２に対して情報の記録又は再生を行う回転磁気ヘッド装置１と、磁気テープ２を回転磁気ヘッド装置１の外周面に巻き付くように、所望の方向に走行させるための複数のガイドローラ１３，１４，１５，１６，１７と、ピンチローラ１８との間に磁気テープを狭持して、磁気テープ２を所定の速度で走行させるキャプスタン１９と、このキャプスタン１９を駆動させるキャプスタンモータ２０とを備える。
【００３５】
この記録再生装置１０において、テープカセットに収納された磁気テープ２に対して、信号の記録又は再生を行う際には、ガイドローラ１３，１４，１５，１６，１７が挿入されたテープカセットから磁気テープ２を引き出すとともに、引き出した磁気テープ２を回転磁気ヘッド装置１の回転ドラムの外周面に巻き付けて、所定のテープパスを形成し、キャプスタン１９をキャプスタンモータ２０により回転駆動させることにより、磁気テープ２を回転ドラムの外周面に摺動させて、回転磁気ヘッド装置１の磁気ヘッド部が磁気テープ２へのデータの記録や、磁気テープ２からのデータの再生を行う。
【００３６】
記録再生装置１０において、回転駆動されたキャプスタン１９と、ピンチローラ１８との間に狭持されて走行される磁気テープ２は、供給リールである第１のテープリール１１からガイドローラ１３，１４を経て、回転磁気ヘッド装置１の外周面に巻き付くように送られ、回転磁気ヘッド装置１の磁気ヘッド部３４，３５で記録再生が行われて、ガイドローラ１５，１６、キャプスタン１９、ピンチローラ１８、ガイドローラ１７を経て、巻き取りリールである第２のテープリール１２へと送られる。  
すなわち、第１のテープリール１１から供給された磁気テープ２は、キャプスタンモータ２０により回転駆動されるキャプスタン１９によって所定の速度にて送られ、回転駆動される回転磁気ヘッド装置１に設けられた記録用及び再生用磁気ヘッド部３４，３５に所定の接触圧にて接触し摺動した後に、第２のテープリール１２に巻き取られる。
【００３７】
ここで、上述した記録再生装置１０の回転磁気ヘッド装置１について詳細に説明する。
【００３８】
本発明を適用した回転磁気ヘッド装置１は、図２及び図３に示すように、第１及び第２のテープリール１１，１２間に亘って走行する磁気テープ２に対して傾斜した回転軸を中心に回転され、その外周面３１ａに沿って磁気テープ２が走行される円筒状の回転ドラム３１と、回転ドラム３１の下部に設けられ、記録再生装置１０のシャーシに対して固定された固定ドラム３２と、回転ドラム３１を回転駆動するモータと、回転ドラム３１の外周面３１ａに形成された凹部３８内に設けられ、走行される磁気テープ２に摺接して磁気テープ２に対して信号の記録を行う記録用磁気ヘッド部３４と、回転ドラム３１の外周面３１ａに形成された凹部３９内に設けられ、走行される磁気テープ２に摺接して磁気テープ２に対して信号の再生を行う再生用磁気ヘッド部３５と、回転ドラム３１の外周面から突出して形成され、走行される磁気テープ２と当接する当接部を有する複数のダミーヘッド３６，３７とを備える。
【００３９】
回転磁気ヘッド装置１において、固定ドラム３２は、回転することなく保持されるドラムである。この固定ドラム３２の側面には、図４に示すように、磁気テープ２の走行方向に沿ってリードガイド部４１が形成されている。このリードガイド部４１は、磁気テープ２の走行方向に沿って、段差状に形成されている。記録再生時に磁気テープ２はこのリードガイド部４１に沿って走行する。そして、この固定ドラム２と中心軸が一致するように、回転ドラム３１が配されている。また、固定ドラム３２は、磁気テープ２に傷を付けず、かつ、貼り付きを防止するため、最大粗さ高さＲｍａｘが０．５〜３．０μｍ程度の範囲で加工仕上げがなされている。
【００４０】
回転ドラム３１は、磁気テープ２に対する記録再生時に、モータによって所定の回転速度で回転駆動されるドラムである。この回転ドラム３１は、固定ドラム３２と略同径の円筒状に形成されてなり、固定ドラム３２と中心軸が一致するように配されている。そして、図２に示すように、この回転ドラム３１の固定ドラム３２側には、外周面上に略矩形に形成されるヘッド配置用の凹部３８，３９が設けられており、この凹部３８，３９内に、磁気テープ２に情報を記録する再生用磁気ヘッド部３５と、磁気テープ２に記録された情報を再生する記録用磁気ヘッド部３４とが設けられている。また、回転ドラム３１は、磁気テープ２を傷つけないように、その円周面の表面粗さを特殊な凹部形成部分を除き、最大粗さ高さＲｍａｘで０．５μｍ以下程度に加工仕上げがなされている。
【００４１】
回転磁気ヘッド装置１において、図３に示すように、記録用磁気ヘッド部３４と再生用磁気ヘッド部３５は、対向する位置に配置される。また、ダミーヘッド３６，３７は、記録用磁気ヘッド部３４及び再生用磁気ヘッド部３５の中間の対向する位置、すなわち、回転ドラム３１の周回り方向に等間隔に配置される。すなわち、回転ドラム３１の固定ドラム３２側であって、凹部３８，３９の間の対向する位置には、外周面上に略矩形に形成されるダミーヘッド配置用の凹部４４，４５が設けられており、この凹部に取り付けられて外周面から突出するように、それぞれダミーヘッド３６，３７が設けられている。
【００４２】
回転磁気ヘッド装置１において、上述の配置は、回転ドラム３１に対する磁気テープ２のラップ角を考慮して、回転ドラム３１に巻かれた磁気テープ２と１箇所以上のダミーヘッドが常に摺接する状態で、かつ軸心に対称に複数個設配置されているので、安定したエアーフィルムを供給し、磁気テープ２と固定ドラム３２との貼り付きを防止する。
【００４３】
記録用磁気ヘッド部３４及び再生用磁気ヘッド部３５は、図４、図５に示すように、ヘッド配置用の凹部３８，３９内に、ヘッドチップ３４ａ，３５ａを載せたヘッドベース４２をネジ４３にて保持し、ヘッドベース先端に位置するヘッドチップ３４ａ，３５ａがドラム円周面３１ａの内側に位置するように配置される。
【００４４】
記録用及び再生用磁気ヘッド部３４，３５の磁気テープ２の摺接する摺接面３４ｂ，３５ｂは、略平面状に形成され、摺接面の中心と回転ドラムの回転中心とを結ぶ直線に対して直交する方向に配置されるとともに、略矩形に形成され、例えば、１ｍｍ×１．２ｍｍ程度の長方形に形成されている。尚、摺接面３４ｂ、３５ｂの形状は、平面状に限られるものではなく、平面形状に類するものも含む。
【００４５】
上述した回転ドラム３１の外周面に形成された凹部３８，３９は、図６及び図７に示すように、外周面上において、略矩形に形成された磁気ヘッド部３４，３５の摺接面３４ｂ，３５ｂの各辺と間隙を有して平行な辺からなる略矩形に形成されている。略矩形に形成された凹部３８，３９の大きさは、ヘッドマウントに際して、凹部３８，３９内部にヘッドベース４２に乗ったヘッドチップ３４ａ，３５ａを設置し、ヘッド自体の突出量やヘッドチップ先端部の曲率中心を先端部を調整することを考慮して、ヘッドチップ３４ａ，３５ａの幅方向及び長手方向の大きさよりも０．２〜１．０ｍｍの範囲だけ大きく形成されている。
【００４６】
換言すると、凹部３８，３９を形成するそれぞれの辺と摺接面３４ａ，３５ａを形成するそれぞれの辺との間の間隙は、回転ドラム３１の回転方向（水平方向から回転ドラム３１の傾斜方向に傾斜した方向）に対向する間隙の合計、及び回転ドラム３１の軸方向（垂直方向から回転ドラム３１の傾斜方向に傾斜した方向）に対向する間隙の合計がそれぞれ０．２ｍｍ以上１．０ｍｍ以下とされている。図７に示すように、磁気ヘッド部３４，３５の摺接面３４ｂ，３５ｂの上述の回転方向の長さをＡとし，上述の軸方向の長さをＢとし、凹部３８，３９の上述の回転方向の長さを（Ａ＋α１）とし，上述の軸方向の長さを（Ｂ＋α２）とすると、上述の回転方向に対向する間隙の合計α１及び上述の軸方向に対向する間隙の合計α２は、いずれも０．２〜１．０ｍｍの範囲とされる。また、磁気テープ２と接触する凹部３８，３９のエッジ部分近傍の領域３８ｅ，３９ｅについては、その表面を最大粗さＲｍａｘが０．２μｍ以下を満足するようにバフ研磨等の表面仕上げを行い、スクラッチ傷を発生させないようにする。
【００４７】
一般的に、ヘッド配置用の凹部３８，３９のエッジ部分である縁部３８ａ，３９ａ及び角部３８ｂ、３９ｂに依る磁気テープ２の損傷は、磁気テープ２が凹部に吸い込まれる現象に因ることから、磁気テープ２が縁部３８ａ，３９ａ及び角部３８ｂ，３９ｂに接触しないよう凹部３８，３９の大きさを極力小さくすることで改善される。
【００４８】
回転磁気ヘッド装置１では、凹部３８，３９の大きさを上述のように磁気ヘッド部３４，３５の摺接面３４ａ，３５ａに対して回転ドラム３１の回転方向及び軸方向においてそれぞれ０．２〜１．０ｍｍだけ大きく形成したことから、エッジ部分である縁部３８ａ，３９ａ及び角部３８ｂ、３９ｂによる磁気テープ２のスクラッチ傷等の損傷を防止することができる。
【００４９】
回転磁気ヘッド装置１において、ヘッド配置用の凹部３８，３９は、図４に示すように、切り抜き孔構造で形成されており、従来の切り欠き溝構造に比べて、記録用及び再生用磁気ヘッド部３４，３５と固定ドラム３２との間隙部分で消失するエアーフィルムが低減し、エアーフィルムの残存量が増えるので、良好な貼り付き防止を可能とする。磁気テープ２と接触する凹部３８，３９のエッジ部分近傍の領域３８ｅ，３９ｅについては、その表面を最大粗さＲｍａｘが０．２μｍ以下を満足するようにバフ研磨等の表面仕上げを行い、スクラッチ傷を発生させないようにされている。
【００５０】
尚、ヘッド配置用の凹部３８，３９は、切り欠き溝構造で形成しても、上述の構成により、磁気テープ２の貼り付き及び損傷等を防止することができる。
【００５１】
また、ヘッド配置用の凹部は、切り欠き溝構造として、記録用及び再生用磁気ヘッド部３４，３５のマウント時にカバー部材等により切り抜き孔構造とすることでも、同様の効果が得られる。
【００５２】
記録用磁気ヘッド部３４は、例えばインダクティブ型磁気ヘッドであり、一対の磁気コアが磁気ギャップを介して接合されるとともに、磁気コアにコイルが巻装されてなる磁気ヘッドである。
【００５３】
インダクティブ型磁気ヘッドである記録用磁気ヘッド部３４は、具体的には、図８に示すように、磁気コア５１ａ，５１ｂが、フェライト等からなる軟磁性基板５２ａ，５２ｂと、当該軟磁性基板５２ａ，５２ｂ上に形成された金属磁性膜５３ａ，５３ｂとからなり、一対の磁気コア５１ａ，５１ｂが、磁気ギャップ５４を挟んで金属磁性膜５３ａ，５３ｂが対向するように接合されるとともに巻線溝５５ａ，５５ｂにコイル５６ａ，５６ｂが巻装されてなる、いわゆるＭＩＧ（Metal In Gap）型の磁気ヘッドが特に好適である。
【００５４】
このような記録用磁気ヘッド部３４は、先端部が回転ドラム３１の外周部から突き出ないように外周面より内側に配置されている。さらに、記録用磁気ヘッド部３４は、磁気テープ２との摺接面３４ｂが、走行する磁気テープ２に対向して略平面状に形成されている。
【００５５】
一方、再生用磁気ヘッド部３５はＭＲヘッド（磁気抵抗型磁気ヘッド）であり、磁気テープ２からの磁気信号を磁気抵抗効果を利用して検出する感磁素子としてＭＲ素子を備えた磁気ヘッドである。一般に、ＭＲヘッドは、電磁誘導を利用して記録再生を行うインダクティブ型磁気ヘッドよりも感度が高く再生出力が大きいので、高密度記録に適している。従って、再生用磁気ヘッド部３５としてＭＲヘッドを用いることで、より高密度記録化を実現できる。
【００５６】
そして、このＭＲヘッドである再生用磁気ヘッド部３５は、図９及び図１０に示すように、軟磁性材料からなる一対の磁気シールド６０，６１と、絶縁体６２を介して一対の磁気シールド６０，６１によって挟持されたＭＲ素子部６３と、ＭＲ素子部６３の両端にそれぞれ配された永久磁石膜６４ａ，６４ｂと、ＭＲ素子部６３の両端にそれぞれ配された導体部６５ａ，６５ｂとを備える。
【００５７】
ＭＲ素子部６３は、例えば、磁気抵抗効果を有するＭＲ素子と、ＭＲ素子に垂直バイアス磁界を印加するＳＡＬ（Soft Adjacent Layer）膜と、ＭＲ素子とＳＡＬ膜との間に配された絶縁体膜とからなる。
【００５８】
永久磁石膜６４ａ，６４ｂは、ＭＲ素子に水平バイアス磁界を印加する。また、導体部６５ａ，６５ｂは、端部に形成された外部端子６６ａ，６６ｂを介してＭＲ素子にセンス電流を供給する。
【００５９】
この再生用磁気ヘッド部３５において、ＭＲ素子部６３は、平面形状が略矩形状となるように形成されており、その短軸方向が磁気テープ摺接面３５ｂに対して略垂直となり、かつ、その一側面が磁気テープ摺接面３５ｂに露呈するように、一対の磁気シールド６０，６１によって絶縁体６２を介して挟持されている。
【００６０】
このような再生用磁気ヘッド部３５は、少なくとも一部が回転ドラム３１の外周部から突き出すように、回転ドラム３１に搭載されている。さらに、再生用磁気ヘッド部３５は、磁気テープ摺接面３５ｂが、走行する磁気テープに対向して略平面に形成されている。
【００６１】
ダミーヘッド３６，３７は、磁気テープ２に対する記録再生を行わないヘッドである。このダミーヘッド３６，３７は、少なくとも一部が回転ドラム３１の外周部から突き出すように、回転ドラム３１に設けられる。
【００６２】
ダミーヘッド３６，３７は、図１１及び図１２に示すように、ダミーヘッド配置用の凹部４４，４５に、磁気テープ２に当接させる当接部３６ｂ，３７ｂを有するヘッドチップ３６ａ，３７ａを載せたヘッドベース４６をネジ４７にて保持し、ヘッドベース４６先端に位置するヘッドチップ３６ａ，３７ａがドラム円周面３１ａから突出するように配置される。
【００６３】
ダミーヘッド３６，３７の磁気テープ２に対向する側に設けられた磁気テープ２に当接させる当接部３６ａ，３７ａは、図１３に示すように、回転ドラム３１の回転軸方向（磁気テープ２の幅方向）の長さＸ１、すなわち、回転ドラム３１の回転軸方向の長さが５０μｍ以上１５０μｍ以下とされる。また、ドラム円周面３１ａから当接部３６ａ，３７ａの先端までの突出量Ｘ２は、１０μｍ以上２０μｍ以下とされる。
【００６４】
ダミーヘッド３６，３７の当接部３６ａ，３７ａの上述の回転軸方向の長さＸ１は、大きくすることにより良好なエアーフィルム発生させるが、大きくすることにより、磁気ヘッド部３４，３５と磁気テープ２との摩擦抵抗を増加させる。
【００６５】
回転磁気ヘッド装置１において、ダミーヘッド３６，３７の当接部３６ａ，３７ａの上述の回転軸方向の長さＸ１は、５０〜１５０μｍとしたことにより、磁気ヘッド部３４，３５と磁気テープ２との低摩擦化を実現するとともに適切なエアーフィルムの性能を得ることが可能となる。
【００６６】
また、ダミーヘッド３６，３７の当接部３６ａ，３７ａは、図１４に示すように、回転ドラム３１の回転軸方向（磁気テープ２の幅方向）、すなわち回転ドラム３１の回転軸を含む平面上に第１の曲率半径Ｒｌと、回転ドラム３１の回転方向（磁気テープ２の長手方向）、すなわち、回転ドラム３１の回転軸と直交する平面上に第２の曲率半径Ｒｍとを有する曲面形状とされる。尚、図１４中ＲＴは、Ｒトップ部、すなわち、第１の曲率半径と第２の曲率半径との交点であり、且つ、最も突出した部分を表すものである。
【００６７】
図１４に示すように、ダミーヘッド３６，３７の当接部３６ａ，３７ａの第１及び第２の曲率半径Ｒｌ，Ｒｍについては、実験の結果から上述の回転軸方向の第１の曲率半径Ｒｌ、及び上述の回転方向の第２の曲率半径Ｒｍをそれぞれ、Ｒｌ＝０．５〜５．０ｍｍ、Ｒｍ＝３．０〜８．０ｍｍの範囲に限定することでスクラッチ傷を与えず、良好な摺接が得られることがわかった。これらの範囲よりも大きいと、図１５（ａ）に示すように、ダミーヘッド３６，３７への片当たりが発生して磁気テープ２にダメージを与え易く、またこれらの範囲よりも小さいと磁気テープ２のテンションが急に変化するモード移行時に磁気テープ２にスクラッチ傷を与え易くなる。図１５（ａ）において、所定の第１及び第２の曲率半径を有するダミーヘッド３６，３７に比較するための、第１及び第２の曲率半径を大きくしたダミーヘッド７１と磁気テープ２とが、ヘッドチップの先端角部が摺接している領域Ｋ１において片当たりが発生している。
【００６８】
回転磁気ヘッド装置１において、当接部３６ａ，３７ａの第１及び第２の曲率半径Ｒｌ，ＲｍがＲｌ＝０．５〜５．０ｍｍ、Ｒｍ＝３．０〜８．０ｍｍの範囲を満たすことによりダミーヘッド３６，３７の磁気テープ２への片当たりを防止し、磁気テープ２へのスクラッチ傷等を防止することができる。
【００６９】
また、ダミーヘッド３６，３７の当接部３６ａ，３７ａのドラム円周面３１ａより突出する突出長さＸ２は、図１３に示すように、１０〜２０μｍとされる。ダミーヘッド３６，３７の突出量は、大きくすると良好なエアーフィルムが得られるが、図１５（ｂ）に示すように、磁気テープ２に片当たりし、スキャン傷等のダメージを与えてしまう。実験を行うことにより、スキャン傷等のダメージを与えないで想定されるエアフィルムが得られる突出長さが１０〜２０μｍであることが得られた。図１５（ｂ）において、所定の突出量とされたダミーヘッド３６，３７と比較するための、突出量を大きくしたダミーヘッド７２と磁気テープ２とが、ヘッドチップの先端突部が摺接している領域Ｋ２において片当たりが発生している。
【００７０】
回転磁気ヘッド装置１において、当接部３６ａ，３７ａの外周面より突出する突出長さが、１０〜２０μｍとされることで、スキャン傷等の損傷を与えることなく、適切なエアフィルムを得ることができる。
【００７１】
上述した回転ドラム３１の外周面に形成されたダミーヘッド配置用の凹部４４，４５は、図１６及び図１７に示すように、外周面上において、略矩形に形成されたダミーヘッド３６，３７のドラム円周面３１ａにおける断面の各辺と間隙を有して平行な辺からなる略矩形に形成されている。略矩形に形成された凹部４４，４５の大きさは、ヘッドマウントに際して、凹部４４，４５内部にヘッドベース４６に乗ったヘッドチップ３６ａ，３７ａを設置し、ヘッド自体の突出量やヘッドチップ先端部の曲率中心を先端部の突き出し中心になるように、アオリ角等を調整する所謂Ｒトップ調整を考慮して、ヘッドチップ３６ａ，３７ａの幅方向及び長手方向の大きさよりも所定量だけ大きく形成されている。
【００７２】
換言すると、凹部４４，４５を形成するそれぞれの辺とダミーヘッド３６，３７の断面の各辺との間の間隙は、回転ドラム３１の回転方向（水平方向から回転ドラム３１の傾斜方向に傾斜した方向）に対向する間隙の合計、及び回転ドラム３１の軸方向（垂直方向から回転ドラム３１の傾斜方向に傾斜した方向）に対向する間隙の合計が所定量とされている。図１７に示すように、ダミーヘッド３６，３７の摺接面３６ａ，３７ａの上述の回転方向の長さＣとし，上述の軸方向の長さをＤとし、凹部４４，４５の上述の回転方向の長さを（Ｃ＋α３）とし，上述の軸方向の長さを（Ｄ＋α４）とすると、上述の回転方向に対向する間隙の合計α３及び上述の軸方向に対向する間隙の合計α４は、所定の範囲とされる。
【００７３】
ヘッド配置用の凹部４４，４５のエッジ部分である縁部４４ａ，４５ａ及び角部４４ｂ、４５ｂに依るテープダメージは、磁気テープ２が一旦窓奥に吸い込まれる現象に因ることから、磁気テープ２を吸い込ませないよう凹部４４，４５の大きさを極力小さくすることで改善される。尚、ここでは、ダミーヘッド３６，３７が回転ドラム３１のドラム円周面３１ａから突き出す形状とされているので、凹部４４，４５は、ドラム円周面３１ａの内側に位置するように配置される記録用及び再生用磁気ヘッド部３４，３５を配置するための凹部３８，３９に比べて間隙量α３，α４を厳格に規定していないが、上述の凹部３８，３９と同様に、間隙量α３，α４についても、例えば、間隙量α１，α２と同様に、０．２〜１．０ｍｍ程度に規定してもよい。この場合には、エッジ部分である縁部４４ａ，４５ａ及び角部４４ｂ、４５ｂによる磁気テープ２のスクラッチ傷等の防止をさらに確実にすることができる。同様に、磁気テープ２と接触する凹部４４，４５のエッジ部分近傍の領域４４ｅ，４５ｅについても、上述の領域３８ｅ，３９ｅと同様に、その表面を最大粗さＲｍａｘが０．２μｍ以下を満足するようにバフ研磨等の表面仕上げを行ってもよく、表面仕上げをした場合には、スクラッチ傷の発生をさらに確実に防止できる。
【００７４】
回転磁気ヘッド装置１において、ダミーヘッド配置用の凹部４４、４５は、図１１に示すように、切り抜き孔構造で形成されており、従来の切り欠き溝構造に比べて、ダミーヘッド３６，３７と固定ドラム３２との間隙部分で消失するエアーフィルムが低減し、エアーフィルムの残存量が増えるので、良好な貼り付き防止を可能とする。尚、ダミーヘッド配置用の凹部は、切り欠き溝構造で形成しても、上述の構成により、磁気テープ２の貼り付き及び損傷等を防止することができる。
【００７５】
また、ダミーヘッド配置用の凹部は、図１８及び図１９に示すように、切り欠き溝構造として、ダミーヘッドのマウント時にカバー部材４４ｃ，４５ｃ等をネジ４４ｄ，４５ｄにより取り付けて、切り抜き孔構造とすることでも、同様の効果が得られる。尚、この場合において、磁気テープ２と接触する凹部のエッジ部分近傍の領域４４ｅ，４５ｅについては、その表面を最大粗さＲｍａｘが０．２μｍ以下を満足するようにバフ研磨等の表面仕上げを行い、スクラッチ傷を発生させないようにする。
【００７６】
後述するように、回転磁気ヘッド装置１において、記録用及び再生用磁気ヘッド部３４，３５が磁気テープ２と摺動して情報信号を記録又は再生する際に、ダミーヘッド３６，３７が記録用及び再生用磁気ヘッド部３４，３５に先行して当接させ、記録用及び再生用磁気ヘッド部を凹部に配置し摺接面を外周面より内側に配置させることにより、適切なエアフィルムを発生させると共に、磁気ヘッド部周辺を負圧状態とし、記録用及び再生用磁気ヘッド部３４，３５が磁気テープ２に対して適切な貼り付け力で接触するようにし、記録用及び再生用磁気ヘッド部３４，３５の摩耗を低減する。
【００７７】
以上のように構成した回転磁気ヘッド装置１において、磁気テープ２が走行され、回転ドラム３１が回転すると、回転磁気ヘッド装置１のドラム面と磁気テープ２との間に空気が入り込み、回転磁気ヘッド装置１のドラム面に対して所定量浮上した状態で磁気テープ２が走行する。
【００７８】
これは、回転磁気ヘッド装置１のドラム円周面３１ａと磁気テープ２との間に空気層（エアフィルム）が形成され、この空気層と磁気テープ２を挟んで位置する大気との間の圧力差が磁気テープ２のテープテンション等との関係で、均衡状態を保ち、これにより所定の浮上量で磁気テープ２が回転磁気ヘッド装置１のドラム円周面３１ａに沿って走行するためである。
【００７９】
そして、テープ摺接面が略平面に形成された記録用又は再生用磁気ヘッド部３４，３５に磁気テープ２が近接すると、摺接面３４ａ，３５ａの前端縁により空気層が押し退けられるため、摺接面３４ａ，３５ａと磁気テープ２との間への空気の流入が少なくなり、この間隙が減圧されて磁気テープ２が磁気ヘッド部３４，３５に吸着される圧力、すなわち、負圧が発生し、結果として、磁気テープ２が摺接面３４ａ，３５ａに吸着されて接触することになる。磁気テープ２にデータを記録する際は、記録用磁気ヘッド部（インダクティブ型磁気ヘッド）３４と磁気テープ２とが接触されて摺動されることにより、記録用磁気ヘッド部３４が磁気テープ２に記録を行う。また、磁気テープ２からデータを再生する際は、再生用磁気ヘッド部（ＭＲヘッド）３５と磁気テープ２とが接触されて摺動されることにより、記録用磁気ヘッド部３４により記録されたデータを再生用磁気ヘッド部３５が再生を行う。
【００８０】
そして、回転磁気ヘッド装置１において、かかる磁気テープ２と磁気ヘッド部３４，３５の摺接面３４ａ，３５ａとの接触は、負圧によるものであるため、適切な接触圧で安定して摺接させることができ、磁気ヘッド部３４，３５の摩耗を防止すると、良好な記録再生特性が得られる。
【００８１】
尚、上述の回転磁気ヘッド装置１において、磁気ヘッド部３４，３５及びダミーヘッド３６，３７の配置は、図３に示すように構成したが、これに限られるものではなく、回転ドラム３１に巻かれた磁気テープ２と１箇所以上のダミーヘッドが常に摺接する状態で、かつ軸心に対称に複数個配置されて設けられればよい。
【００８２】
回転磁気ヘッド装置１において、図２０に示すように、配置してもよい。すなわち、対向する位置に配置された記録用及び再生用磁気ヘッド部３４、３５に先行する位置、すなわち、記録用及び再生用磁気ヘッド部から角度βを回転方向と逆方向に隔てて、ダミーヘッド３６，３７が配置するように構成してもよい。図２０に示すように、ダミーヘッド３６，３７を配置した場合においても、回転ドラム３１に対する磁気テープ２のラップ角を考慮して、回転ドラム３１に巻かれた磁気テープ２と１箇所以上のダミーヘッドが常に摺接する状態で、かつ軸心に対称に複数個設配置されているので、安定したエアーフィルムを供給し、磁気テープ２と固定ドラム３２との貼り付きを防止する。
【００８３】
本発明が適用された回転磁気ヘッド装置１は、回転ドラム３１の外周面に形成された凹部３７，３８内に設けられた記録用及び再生用磁気ヘッド部３４，３５と回転ドラム３１の外周面から突出して形成されたダミーヘッド３６，３７とにより、磁気テープ２と記録用及び再生用磁気ヘッド部３４，３５との間に負圧を生じさせ、磁気テープ２と記録用及び再生用磁気ヘッド部３４，３５とを安定して適切な接触圧で接触させ記録再生特性を向上させるとともに、記録用及び再生用磁気ヘッド部３４，３５の摩耗を低減することができる。
【００８４】
また、本発明が適用された回転磁気ヘッド装置１は、ダミーヘッド３６，３７を回転ドラム３１の周回り方向に等間隔に配置すること、及び、回転ドラムに巻き回された磁気テープ２が常に１箇所以上のダミーヘッドに当接することで、記録用及び再生用磁気ヘッド部３４，３５及び磁気テープ２の摩耗を低減することを可能とするとともに、磁気テープ２と磁気ヘッド部３４，３５との間に常に安定したエアーフィルムを形成し、磁気テープ２と固定ドラム３２との貼り付きを防止することができる。
【００８５】
さらに、本発明が適用された回転磁気ヘッド装置１は、記録用及び再生用磁気ヘッド素子３４，３５と、これらが配置される凹部３８，３９との間隙を一定の範囲内とすることにより、回転ドラム３１の凹部３８、３９の縁部分及び角部分等による磁気テープ２の損傷を防止することを可能とする。
【００８６】
また、本発明が適用された回転磁気ヘッド装置１は、ダミーヘッド３６，３７と、これらが配置される凹部４４，４５との間隙を一定の範囲内とすることにより、回転ドラム３１の凹部４４，４５の縁部分及び角部分等による磁気テープ２の損傷を防止することを可能とする。
【００８７】
さらに、本発明が適用された回転磁気ヘッド装置１は、ダミーヘッド３６，３７の当接部３６ａ，３７ａの回転ドラム３１の回転軸方向の長さＸ１を、所定の範囲としたことにより、磁気ヘッド部３４，３５と磁気テープ２との低摩擦化を実現するとともに適切なエアーフィルム性能を得ることが可能となる。
【００８８】
また、本発明が適用された回転磁気ヘッド装置１は、ダミーヘッド３６，３７の当接部３６ａ，３７ａの曲面形状を所定の範囲を満たす第１及び第２の曲率半径により形成されるように構成したので、ダミーヘッド３６，３７の磁気テープ２への片当たりを防止し、磁気テープ２へのスクラッチ傷等を防止することができる。
【００８９】
本発明が適用された回転磁気ヘッド装置１は、安定して適切な接触圧で磁気ヘッド部３４，３５と磁気テープ２とを接触させることができるので、再生用磁気ヘッド部にＭＲヘッドを用いることができ、高密度且つ高容量な記録再生を実現する。
【００９０】
よって、本発明に係る回転磁気ヘッド装置１は、負圧原理を利用することにより記録用及び再生用磁気ヘッド部３４，３５の摩耗を低減し、磁気テープ２の損傷を防止するとともに、高密度高容量且つ良好な記録再生を実現する。
【図面の簡単な説明】
【００９１】
【図１】本発明を適用した回転磁気ヘッド装置を用いた記録再生装置の構成の概略を示す平面図である。
【図２】本発明を適用した回転磁気ヘッド装置の構成を示す斜視図である。
【図３】本発明を適用した回転磁気ヘッド装置の平断面図である。
【図４】本発明を適用した回転磁気ヘッド装置の磁気ヘッド部の縦断面図である。
【図５】本発明を適用した回転磁気ヘッド装置の磁気ヘッド部の平断面図である。
【図６】本発明を適用した回転磁気ヘッド装置の磁気ヘッド部の正面図である。
【図７】本発明を適用した回転磁気ヘッド装置の回転ドラムに形成された凹部の正面図である。
【図８】本発明を適用した回転磁気ヘッド装置の記録用磁気ヘッド部の斜視図である。
【図９】本発明を適用した回転磁気ヘッド装置の再生用磁気ヘッド部の斜視図である。
【図１０】本発明を適用した回転磁気ヘッド装置の再生用磁気ヘッド部の摺接面の平面図である。
【図１１】本発明を適用した回転磁気ヘッド装置のダミーヘッドの縦断面図である。
【図１２】本発明を適用した回転磁気ヘッド装置のダミーヘッドの平断面図である。
【図１３】本発明を適用した回転磁気ヘッド装置のダミーヘッドの要部断面図である。
【図１４】本発明を適用した回転磁気ヘッド装置のダミーヘッドの当接部の斜視図である。
【図１５】本発明を適用した回転磁気ヘッド装置のダミーヘッドに比較して、（ａ）は、ダミーヘッドの曲率半径が所定の半径より大きいときの磁気テープへ片当たりしている状態を示す図であり、（ｂ）は、ダミーヘッドの突出量が所定の量より大きいときの磁気テープへ片当たりしている状態を示す図である。
【図１６】本発明を適用した回転磁気ヘッド装置のダミーヘッドの正面図である。
【図１７】本発明を適用した回転磁気ヘッド装置の回転ドラムに形成されたダミーヘッド配置用の凹部の正面図である。
【図１８】本発明を適用した回転磁気ヘッド装置の切り欠き溝構造のダミーヘッド配置用凹部に、ダミーヘッド及びカバー部材を取り付けた例を示す縦断面図である。
【図１９】本発明を適用した回転磁気ヘッド装置の切り欠き溝構造のダミーヘッド配置用凹部に、ダミーヘッド及びカバー部材を取り付けた例を示す平断面図である。
【図２０】本発明を適用した回転磁気ヘッド装置の記録用及び再生用磁気ヘッド部並びにダミーヘッドの配置の他の例を示す平断面図である。
【図２１】従来の突出型の回転磁気ヘッド装置の斜視図である。
【図２２】回転磁気ヘッド装置に用いられる負圧発生原理について説明するものであり、（ａ）は、一般的なハードディスクメディアとスライダーヘッドとの間に発生する空気の流れを説明する図であり、（ｂ）は、フレキシブルメディアとスライダーヘッドとの間に発生する空気の流れを説明する図であり、（ｃ）は、フレキシブルメディアとスライダーヘッドとの間に負圧が発生した状態を説明する図である。
【図２３】従来の回転磁気ヘッド装置の磁気ヘッド部を配置するための凹部を示す斜視図である。
【図２４】従来の突出型の回転磁気ヘッド装置の磁気ヘッド部の縦断面図である。
【図２５】従来の突出型の回転磁気ヘッド装置の磁気ヘッド部の平断面図である。
【図２６】従来のスライダー型の回転磁気ヘッド装置の斜視図である。
【図２７】従来のスライダー型の回転磁気ヘッド装置の磁気ヘッド部の縦断面図である。
【図２８】従来のスライダー型の回転磁気ヘッド装置の磁気ヘッド部の平断面図である。
【図２９】従来の突出型の回転磁気ヘッド装置の磁気ヘッド部のドラム入口側の縦断面図である。
【図３０】従来の突出型の回転磁気ヘッド装置の磁気ヘッド部のドラム入口側の平断面図である。
【図３１】従来の突出型の回転磁気ヘッド装置の磁気ヘッド部のドラム出口側の縦断面図である。
【図３２】従来の突出型の回転磁気ヘッド装置の磁気ヘッド部のドラム出口側の平断面図である。
【図３３】従来のスライダー型の回転磁気ヘッド装置の磁気ヘッド部のドラム出口側の縦断面図である。
【図３４】従来のスライダー型の回転磁気ヘッド装置の磁気ヘッド部のドラム出口側の平断面図である。
【符号の説明】
【００９２】
１  回転磁気ヘッド装置、  １０  記録再生装置、  １１  第１のテープリール、  １２  第２のテープリール、  １３，１４，１５，１６，１７  ガイドローラ、  １８  ピンチローラ、  １９  キャプスタン、  ３１  回転ドラム、  ３２  固定ドラム、  ３４  記録用磁気ヘッド部、  ３５  再生用磁気ヘッド部、  ３６，３７  ダミーヘッド、  ３８，３９  ヘッド配置用の凹部、  ４４，４５  ダミーヘッド配置用の凹部
【図１】
2006172543.tif 000003
【図２】
2006172543.tif 000004
【図３】
2006172543.tif 000005
【図４】
2006172543.tif 000006
【図５】
2006172543.tif 000007
【図６】
2006172543.tif 000008
【図７】
2006172543.tif 000009
【図８】
2006172543.tif 000010
【図９】
2006172543.tif 000011
【図１０】
2006172543.tif 000012
【図１１】
2006172543.tif 000013
【図１２】
2006172543.tif 000014
【図１３】
2006172543.tif 000015
【図１４】
2006172543.tif 000016
【図１５】
2006172543.tif 000017
【図１６】
2006172543.tif 000018
【図１７】
2006172543.tif 000019
【図１８】
2006172543.tif 000020
【図１９】
2006172543.tif 000021
【図２０】
2006172543.tif 000022
【図２１】
2006172543.tif 000023
【図２２】
2006172543.tif 000024
【図２３】
2006172543.tif 000025
【図２４】
2006172543.tif 000026
【図２５】
2006172543.tif 000027
【図２６】
2006172543.tif 000028
【図２７】
2006172543.tif 000029
【図２８】
2006172543.tif 000030
【図２９】
2006172543.tif 000031
【図３０】
2006172543.tif 000032
【図３１】
2006172543.tif 000033
【図３２】
2006172543.tif 000034
【図３３】
2006172543.tif 000035
【図３４】
2006172543.tif 000036